(57)【要約】【課題】マイクロホンに対する振動ノイズの影響を防止するよう、本体に対するファン保持部の振動をより減衰することが可能なファン保持装置および撮像装置を提供する。【解決手段】ファンを保持するためのファン保持部と、前記ファン保持部を本体に取り付けるための取付け部と、前記ファン保持部と前記取付け部を接続する接続部材と、を備え、前記ファン保持部、前記取付け部、および前記接続部材は、弾性部材により一体に形成される、ファン保持装置。【選択図】図３
2015048803.tif 000002
【特許請求の範囲】
【請求項１】
ファンを保持するためのファン保持部と、
前記ファン保持部を本体に取り付けるための取付け部と、
前記ファン保持部と前記取付け部を接続する接続部材と、
を備え、
前記ファン保持部、前記取付け部、および前記接続部材は、弾性部材により一体に形成される、ファン保持装置。
【請求項２】
前記ファン保持部は、前記取付け部と離隔され、複数の前記接続部材により支持される、請求項１に記載のファン保持装置。
【請求項３】
前記ファン保持部は、複数の前記接続部材により少なくとも３点以上で支持される、請求項１に記載のファン保持装置。
【請求項４】
前記接続部材の断面形状は、蛇行形状である、請求項１に記載のファン保持装置。
【請求項５】
前記接続部材は、板バネ形状である、請求項１に記載のファン保持装置。
【請求項６】
前記接続部材は、前記ファン保持部と前記取付け部に対して、ヤング率が低い材質の材料が用いられる、請求項１に記載のファン保持装置。
【請求項７】
前記接続部材は、前記ファン保持部と前記取付け部に対して、減衰率が高い材質の材料が用いられる、請求項１に記載のファン保持装置。
【請求項８】
ファンを保持するためのファン保持部と；
前記ファン保持部を本体に取り付けるための取付け部と；
前記ファン保持部と前記取付け部を接続する接続部材と；を有し、
前記ファン保持部、前記取付け部、および前記接続部材は、弾性部材により一体に形成される、ファン保持装置と、
マイクロホンと、
を備える、撮像装置。
【請求項９】
前記ファン保持部は、前記取付け部と離隔され、複数の前記接続部材により支持される、請求項８に記載の撮像装置。
【請求項１０】
前記ファン保持部は、複数の前記接続部材により少なくとも３点以上で支持される、請求項８に記載の撮像装置。
【請求項１１】
前記接続部材の断面形状は、蛇行形状である、請求項８に記載の撮像装置。
【請求項１２】
前記接続部材は、板バネ形状である、請求項８に記載の撮像装置。
【請求項１３】
前記接続部材は、前記ファン保持部と前記取付け部に対して、ヤング率が低い材質の材料が用いられる、請求項８に記載の撮像装置。
【請求項１４】
前記接続部材は、前記ファン保持部と前記取付け部に対して、減衰率が高い材質の材料が用いられる、請求項８に記載の撮像装置。
【発明の詳細な説明】
【技術分野】
【０００１】
本開示は、ファン保持装置および撮像装置に関する。
【背景技術】
【０００２】
従来、パーソナルコンピュータやＤＶＤレコーダー等の電子機器には、部品を冷却するために空冷用ファンが設けられている。
【０００３】
このようなファンを電子機器のファン取付け部に取り付ける技術に関し、下記特許文献１、２では、ファンの振動や騒音を抑制するための構造が提示されている。具体的には、特許文献１に記載のファン保持構造は、ファンを防振スポンジで包み、特許文献２に記載のファンシステムでは、ファンを振動吸収性の高いポリプロピレンで点接触させて保持している。
【先行技術文献】
【特許文献】
【０００４】
【特許文献１】特開２００８−１９０４３４号公報
【特許文献２】特開２００９−９９６８号公報
【発明の概要】
【発明が解決しようとする課題】
【０００５】
しかしながら、上述したいずれのファン保持構造においても、本体への振動を完全に防止することはできず、騒音や手感の悪化につながっていた。
【０００６】
特にマイクロホンが内蔵されているカムコーダ等にファンが搭載された場合、マイクロホンに対するファン部の振動ノイズの影響は大きく、可聴域に対して著しいノイズを発生させる恐れがある。しかし、上記いずれのファン保持構造においても、マイクロホンに対する振動ノイズの影響は考慮されておらず、可聴域の振動ノイズ（具体的には１００Ｈｚ以上）を減衰することはできない。
【０００７】
そこで、本開示では、マイクロホンに対する振動ノイズの影響を防止するよう、本体に対するファン保持部の振動をより減衰することが可能なファン保持装置および撮像装置を提案する。
【課題を解決するための手段】
【０００８】
本開示によれば、ファンを保持するためのファン保持部と、前記ファン保持部を本体に取り付けるための取付け部と、前記ファン保持部と前記取付け部を接続する接続部材と、を備え、前記ファン保持部、前記取付け部、および前記接続部材は、弾性部材により一体に形成される、ファン保持装置を提案する。
【０００９】
本開示によれば、ファンを保持するためのファン保持部と、前記ファン保持部を本体に取り付けるための取付け部と、前記ファン保持部と前記取付け部を接続する接続部材と、を有し、前記ファン保持部、前記取付け部、および前記接続部材は、弾性部材により一体に形成される、ファン保持装置と、マイクロホンと、を備える、撮像装置を提案する。
【発明の効果】
【００１０】
以上説明したように本開示によれば、マイクロホンに対する振動ノイズの影響を防止するよう、本体に対するファン保持部の振動をより減衰することが可能となる。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態によるカムコーダの概要について説明するための斜視図である。
【図２】本実施形態によるカムコーダの背面側側面図である。
【図３】本実施形態によるファン保持装置が本体に取り付けられた状態の斜視図である。
【図４】本実施形態によるファン保持装置の上面図である。
【図５】図４に示すファン保持装置のＡ−Ａ断面図である。
【図６】本実施形態によるファン保持装置の側面図である。
【図７Ａ】本実施形態による接続部の第１の変形例を示す断面図である。
【図７Ｂ】本実施形態による接続部の第２の変形例を示す断面図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態によるカムコーダの概要
２．ファン保持装置の構成
３．まとめ
【００１５】
＜＜１．本開示の一実施形態によるカムコーダの概要＞＞
まず、本開示の一実施形態によるカムコーダの概要について図１および図２を参照して説明する。図１は、本実施形態によるカムコーダ１の斜視図である。図２は、本実施形態によるカムコーダ１の背面側側面図である。図１および図２に示すカムコーダ１は、本開示によるファン保持装置が搭載される電子機器の一例であって、本開示によるファン保持装置が搭載される電子機器はこれに限定されない。例えば本開示によるファン保持装置が搭載される電子機器は、マイクロホンが搭載されている他の撮像装置や、パーソナルコンピュータ等であってもよい。
【００１６】
カムコーダ１は、図１に示すように、撮像部２、内蔵マイクロホン３（以下、内蔵マイク３とも称す）、開閉部４、およびビューファインダ５が設けられる。また、図２に示すように、背面側には、通気口６が設けられる。
【００１７】
開閉部４は、カムコーダ１本体にヒンジ機構を介して連結されている。図１および図２では、操作表示部であるタッチパネルを内側に向けて開閉部４が本体に対して閉じられた状態が示されている。開閉部４が開けられた際は、ヒンジ機構を中心に回転し、ビューファインダ５側にタッチパネルを向けることができる。
【００１８】
（背景）
ここで、カムコーダ１の通気口６の内側には、部品を冷却するためのファンが設けられている。このようなファンの振動は、特に内蔵マイク３に対して大きな振動ノイズを与えてしまい、可聴域に対して著しいノイズを発生させるという問題がある。
【００１９】
そこで、上記事情を鑑みて、本実施形態によるファン保持装置は、マイクロホンに対する振動ノイズの影響を防止するよう、本体に対するファン保持部の振動をより減衰する。
【００２０】
以上、本開示の一実施形態によるカムコーダ１の概要について説明した。続いて、本開示によるカムコーダ１に搭載されているファン保持装置の構成について、図３〜図６を参照して具体的に説明する。
【００２１】
＜＜２．ファン保持装置の構成＞＞
（全体構成）
図３は、本実施形態によるファン保持装置１０が本体２０に取り付けられた状態の斜視図である。図３に示すように、ファン保持装置１０は、ファン１２を筐体内に保持するためのファン保持部１１と、ファン保持部１１を本体２０（ファン取付台）に取り付けるための取付け部１４と、ファン保持部１１と取付け部１４を接続する複数の接続部材１６ａ〜１６ｄと、を有する。
【００２２】
ファン保持部１１は、ファン１２の四側面を覆う枠状形状により実現される。なおファン保持部１１のいずれか１以上の側面に通風孔を設けてもよく（不図示）、これにより空冷効果をさらに上げることができる。また、ファン保持部１１は、取付け部１４と離隔され、複数の接続部材１６ａ〜１６ｄにより支持される。
【００２３】
また、取付け部１４は、ファン保持部１１から離隔された状態でファン保持部１１の周囲に配置される。
【００２４】
複数の接続部材１６ａ〜１６ｄは、ファン保持部１１および取付け部１４を４点で支持しているが、図３に示す斜視図では、ファン保持部１１や取付け部１４により接続部材１６ａ〜１６ｄの一部が隠れて見えない状態である。接続部材１６ａ〜１６ｄについては、図４〜図６を参照して具体的に説明する。
【００２５】
ファン保持部１１、取付け部１４、および接続部材１６は、弾性部材により一体化して形成されている。弾性部材とは、例えば合成ゴムの一例であるブチルゴム、シリコンゴムや、エラストマー等が挙げられる。
【００２６】
本実施形態によるファン保持装置１０は、ファン保持部１１、取付け部１４、および接続部材１６が弾性部材により一体化して形成されることで、ファン保持部１１の固有振動数を低域まで減衰することができる。低域とは、少なくとも１００Ｈｚを下回る非可聴域であって、具体的には２０Ｈｚ程度まで減衰することが可能である。これにより、内蔵マイク３への振動ノイズの影響を防止することができる。
【００２７】
（接続部材）
続いて、図４〜図６を参照して接続部材１６について具体的に説明する。図４は、本実施形態によるファン保持装置１０の上面図である。また、図５は、図４のＡ−Ａ断面図である。また、図６は、本実施形態によるファン保持装置１０の側面図である。
【００２８】
図４に示すように、ファン保持部１１は、取付け部１４と隔離され、複数の接続部材１６ａ〜１６ｄにより４カ所で支持されている。なお図４に示す例では、ファン保持部１１が複数の接続部材１６ａ〜１６ｄにより４カ所で支持されているが、本実施形態はこれに限定されず、少なくとも３点で支持されていればよい。なお、以下複数の接続部材１６ａ〜１６ｄを個々に区別する必要がない場合は、接続部材１６とも称す。
【００２９】
接続部材１６は、図４に示すように、一例として板バネ形状であってもよい。
【００３０】
さらに、接続部材１６は、図５に示すように、断面形状が蛇行形状であってもよい。ファン保持部１１と取付け部１４の間に設けられる接続部材１６を蛇行させることで、接続部材１６の長手方向長さをより長く形成することができ、減衰効果が高まる。
【００３１】
また、接続部材１６は、ファン保持部１１および取付け部１４と同じ材質の材料で一体に形成されていてもよいし、ファン保持部１１および取付け部１４と異なる材質の材料で一体に形成されていてもよい。
【００３２】
具体的には、接続部材１６には、ファン保持部１１および取付け部１４よりもヤング率が低い材料、または、減衰率が高い材料が用いられてもよい。接続部材１６にヤング率が低い材料、または減衰率が高い材料を用いることで、ファン保持部１１の固有振動数を、１００Ｈｚを下回る非可聴域である低域（具体的には２０Ｈｚ程度）まで減衰することが可能である。
【００３３】
接続部材１６と、ファン保持部１１および取付け部１４とに、異なる材質の材料が用いられる場合の具体例については特に限定しないが、例えばブチルゴム、シリコンゴム、およびエラストマーのうち、いずれか２種以上の組み合わせを用いてもよい。また、同じ材料であっても、成分分量を異ならせることで硬度が異なるので、異なる材質の材料として用いることが可能である。
【００３４】
また、接続部材１６は、図６に示す例では、取付け部１４がファン保持部１１に対して中央より上部分に位置するよう設けられているが、本実施形態がこれに限定されない。例えば、ファン保持装置１０がカムコーダ１（本体２０）に取り付けられた際に、ファン保持部１１の高さが通気口６内部に収まる高さであればよい。
【００３５】
（変形例）
以上、本実施形態によるファン保持装置１０の構成について具体的に説明した。なお本実施形態による接続部材１６の断面形状は、図５に示すＳ字型の蛇行形状に限定されない。以下、図７Ａおよび図７Ｂを参照して接続部材１６の変形例の一例について説明する。
【００３６】
図７Ａは、本実施形態による接続部材１６の第１の変形例を示す断面図である。図７Ａに示すように、第１の変形例による接続部材１６０は、Ｖ字型の蛇行形状により、ファン保持部１１と取付け部１４を接続する。
【００３７】
図７Ｂは、本実施形態による接続部材１６の第２の変形例を示す断面図である。図７Ｂに示すように、第２の変形例による接続部材１６１は、蛇行せず、略直線形状により、ファン保持部１１と取付け部１４を接続する。
【００３８】
なお、この場合、図５に示すＳ字型の蛇行形状の接続部材１６や、図７Ａに示すＶ字型の蛇行形状の接続部材１６０よりも長手方向長さが短いが、よりヤング率が低いまたは減衰率が高い材料を用いることで、低域への減衰効果を生じさせることができる。
【００３９】
このように、接続部材１６の断面形状は図５に示すＳ字型の蛇行形状に限定されず、様々な形状が考え得る。
【００４０】
＜＜３．まとめ＞＞
上述したように、本開示の実施形態によるファン保持装置１０は、内蔵マイク３に対する振動ノイズの影響を防止するよう、本体に対するファン保持部の振動をより減衰することができる。より具体的には、ファン保持部１１の固有振動数を極低域（約２０Ｈｚ〜３０Ｈｚ）に減衰することで、可聴域（１００Ｈｚ以上、特に最も聴覚に敏感な３ｋ〜４ｋＨｚ）の振動を減衰させる。これにより、内蔵マイク３に対するノイズの低減、手感への振動低減を実現することができる。
【００４１】
また、フォン保持部１１、取付け部１４、および接続部材１６から構成されるファン保持装置１０が、弾性部材により一体に形成されるので、かかる１部品により上記効果を実現でき、低コストでの性能向上に貢献することができる。
【００４２】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００４３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００４４】
なお、本技術は以下のような構成も取ることができる。
（１）
ファンを保持するためのファン保持部と、
前記ファン保持部を本体に取り付けるための取付け部と、
前記ファン保持部と前記取付け部を接続する接続部材と、
を備え、
前記ファン保持部、前記取付け部、および前記接続部材は、弾性部材により一体に形成される、ファン保持装置。
（２）
前記ファン保持部は、前記取付け部と離隔され、複数の前記接続部材により支持される、前記（１）に記載のファン保持装置。
（３）
前記ファン保持部は、複数の前記接続部材により少なくとも３点以上で支持される、前記（１）または（２）に記載のファン保持装置。
（４）
前記接続部材の断面形状は、蛇行形状である、前記（１）〜（３）のいずれか１項に記載のファン保持装置。
（５）
前記接続部材は、板バネ形状である、前記（１）〜（４）のいずれか１項に記載のファン保持装置。
（６）
前記接続部材は、前記ファン保持部と前記取付け部に対して、ヤング率が低い材質の材料が用いられる、前記（１）〜（５）のいずれか１項に記載のファン保持装置。
（７）
前記接続部材は、前記ファン保持部と前記取付け部に対して、減衰率が高い材質の材料が用いられる、前記（１）〜（５）のいずれか１項に記載のファン保持装置。
（８）
ファンを保持するためのファン保持部と；
前記ファン保持部を本体に取り付けるための取付け部と；
前記ファン保持部と前記取付け部を接続する接続部材と；を有し、
前記ファン保持部、前記取付け部、および前記接続部材は、弾性部材により一体に形成される、ファン保持装置と、
マイクロホンと、
を備える、撮像装置。
（９）
前記ファン保持部は、前記取付け部と離隔され、複数の前記接続部材により支持される、前記（８）に記載の撮像装置。
（１０）
前記ファン保持部は、複数の前記接続部材により少なくとも３点以上で支持される、前記（８）または（９）に記載の撮像装置。
（１１）
前記接続部材の断面形状は、蛇行形状である、前記（８）〜（１０）に記載の撮像装置。
（１２）
前記接続部材は、板バネ形状である、前記（８）〜（１１）に記載の撮像装置。
（１３）
前記接続部材は、前記ファン保持部と前記取付け部に対して、ヤング率が低い材質の材料が用いられる、前記（８）〜（１２）に記載の撮像装置。
（１４）
前記接続部材は、前記ファン保持部と前記取付け部に対して、減衰率が高い材質の材料が用いられる、前記（８）〜（１２）に記載の撮像装置。
【符号の説明】
【００４５】
１      カムコーダ
２      撮像部
３      内蔵マイクロホン
４      開閉部
５      ビューファインダ
６      通気口
１０    ファン保持装置
１１    ファン保持部
１２    ファン
１４    取付け部
１６、１６ａ〜１６ｄ、１６０、１６１    接続部材
２０    本体
【図１】
2015048803.tif 000003
【図２】
2015048803.tif 000004
【図３】
2015048803.tif 000005
【図４】
2015048803.tif 000006
【図５】
2015048803.tif 000007
【図６】
2015048803.tif 000008
【図７Ａ】
2015048803.tif 000009
【図７Ｂ】
2015048803.tif 000010